(57)【要約】  【課題】梱包性に優れ、雨漏りを確実に防止できる組立ハウス用の窓枠を提供する。  【解決手段】本組立ハウス１用の窓枠５は、組立ハウス１において溝形の一対の柱２の間に落とし込んで用いられる。窓枠５は、上下一対の横枠としての上枠７および下枠８を有し、左右一対の縦枠としての右枠９および左枠１０を有している。下枠８は、左右方向に延びる横材１１と、この横材１１の左右両端にねじ止め固定された組立用の一対のソケット１２とを含む。右枠９の上下両端に差込部２０，２１が突設され、ソケット１２に差し込まれている。ソケット１２は、上方または下方へ突出しないように、ソケット１２の高さＨ１が横材１１の高さＨ２の範囲内に収められており、左右方向についての下枠８の全長Ｌ２は、パネル４の幅寸法Ｌ３と等しい長さとされる。右枠９の差込部２０は、水平方向に切った断面形状が口字状に閉じた形状をしている。  【選択図】図２
2007154547.tif 000002
【特許請求の範囲】
【請求項１】
組立ハウスにおいて相対向して開口する溝形の一対の柱間に落とし込んで用いられる矩形の窓枠であって、
上下一対の横枠および左右一対の縦枠を備え、
横枠は、左右方向に延びる横材と、この横材の左右両端にねじ止め固定された組立用のソケットとを含み、
縦枠の上下両端には、差込部が突設され、この差込部が上記ソケットに差し込まれていて、
上記ソケットは、上方または下方へ突出しないように、ソケットの高さが横材の高さの範囲内に収められており、
左右方向についての横枠の全長は、当該窓枠が取り付けられる上記一対の柱の間に嵌められるパネルの幅寸法と等しい長さとされ、
上記縦枠の差込部は、水平方向に切った断面形状が口字状に閉じた形状をしていることを特徴とする組立ハウス用の窓枠。
【請求項２】
請求項１に記載の組立ハウス用の窓枠において、
上記ソケットは、上記差込部が差し込まれる差込空間を内部に形成するために上下方向に延びて断面矩形の筒形状をなす４つの面部を含み、４つの面部のうちの一つの面部には、横枠の横材の端部が接続されるとともに、補強板が積層されてねじ止め固定されていることを特徴とする組立ハウス用の窓枠。
【請求項３】
請求項１または２に記載の組立ハウス用の窓枠において、
上記横枠および縦枠には、戸部材が開閉自在に取り付けられ、
上記横枠は、戸部材に対向し階段状に形成された部分を含むことを特徴とする組立ハウス用の窓枠。
【発明の詳細な説明】
【技術分野】
【０００１】
この発明は、組立ハウス用の窓枠に関する。
【背景技術】
【０００２】
組立ハウスは、壁面を構成するための複数のパネルと、複数の柱とが組み合わされて作られる（例えば、特許文献１参照。）。組立ハウスに窓を設ける場合は、パネルの上に窓枠が取り付けられる。パネルや窓枠は、互いに対向する一対の溝形の柱の間に落とし込まれることにより取り付けられ、パネルや窓枠の左右両側部分が対応する柱により支えられる。
【０００３】
組立ハウス用の窓枠は、従来より、アルミ製であり、一対の横枠と一対の縦枠とが組み合わされて作られる。横枠の左右両端には、組立用の筒状のソケットが配置されている。このソケットは、横枠の長手方向に対して直角に突出していて、横枠の端部はＬ字形形状をなしている。
また、従来の窓枠の左右方向の寸法（幅寸法ともいう。）は、この窓枠に対応するパネル、すなわち、当該窓枠が嵌められた一対の柱間に取り付けられたパネルの幅寸法に比べて、わずかに短くなっていた。これは、左右両側が柱で挟まれたパネルの上に窓枠を載せる場合に、窓枠を載せ易くするとともに、窓枠を柱間に嵌め込み易くするためである。
【特許文献１】特開２００３−１４８０５３号公報
【発明の開示】
【発明が解決しようとする課題】
【０００４】
ところで、窓枠は、分解状態（組立前の状態）で組立ハウスの建設現場へ運搬されて、建設現場で矩形に組み立てられる。運搬時には、窓枠の横枠および縦枠をそれぞれ梱包する必要があるが、両端のソケットがＬ字状に突出した横枠は、梱包性に劣るという欠点があった。すなわち、梱包に手間がかかり、また、荷姿が悪く、横枠が運搬中に破損する虞があり、また、荷姿が嵩張る。
【０００５】
また、従来の窓枠の幅寸法は、対応する上記パネルの幅寸法に比べて、わずかに短いので、ハウス内への雨漏りが生じることがあった。というのは、雨水が柱と窓枠との間を通り、パネルの頂面に溜まり、溜まった雨水が、パネルと窓枠とのつなぎ目を通ってハウス内へ漏れてしまう。
この発明は、かかる背景のもとに、従来の欠点を解消するためになされたもので、梱包性に優れた組立ハウス用の窓枠を提供することを主たる目的とする。また、この発明は、組立ハウスに組み付けた状態で、雨漏りを確実に阻止することのできる組立ハウス用の窓枠を提供することを他の目的とする。
【課題を解決するための手段】
【０００６】
本発明の組立ハウス用の窓枠は、組立ハウスにおいて相対向して開口する溝形の一対の柱間に落とし込んで用いられる矩形の窓枠であって、上下一対の横枠および左右一対の縦枠を備え、横枠は、左右方向に延びる横材と、この横材の左右両端にねじ止め固定された組立用のソケットとを含み、縦枠の上下両端には、差込部が突設され、この差込部が上記ソケットに差し込まれていて、上記ソケットは、上方または下方へ突出しないように、ソケットの高さが横材の高さの範囲内に収められており、左右方向についての横枠の全長は、当該窓枠が取り付けられる上記一対の柱の間に嵌められるパネルの幅寸法と等しい長さとされ、上記縦枠の差込部は、水平方向に切った断面形状が口字状に閉じた形状をしていることを特徴とする。
【０００７】
本発明によれば、横枠の端部においてソケットが直角に突出しないので、横枠を梱包し易く、また、横枠の荷姿も優れていて運搬時に横枠が破損する虞もなく、さらに横枠の荷姿は嵩張らないですむ。従って、梱包性に優れた窓枠を実現できる。また、横枠の全長がパネルの幅寸法と等しいので、窓枠を組立ハウスに組み付けた状態で、パネルの頂面の全体が窓枠の横枠で覆われる。その結果、仮に柱と窓枠との間を雨水が通ることがあったとしても、パネルの頂面に雨水が溜まることはなく、ひいては雨漏りを確実に阻止することができる。また、差込部は口字状に閉じた形状であるので、開いた形状に比べて、変形し難い。さらに、横枠の全長をパネルの幅と等しくしたので、差込部の断面積を最大にでき、この点でも変形を抑制できる。従って、ソケットと差込部との嵌合長さが短くても、変形し難い窓枠を実現できる。さらに、横枠の全長がパネルの幅と等しいので、柱間への窓枠の組込み易さを、パネルと同程度に確保できる。なお、窓枠としては、採光や通風用の窓開口を区画するためのサッシ枠であってもよいし、通行のための出入口用開口を区画するためのサッシ枠であってもよく、開口の大きさや目的は限定されない。
【０００８】
また、本発明において、上記ソケットは、上記差込部が差し込まれる差込空間を内部に形成するために上下方向に延びて断面矩形の筒形状をなす４つの面部を含み、４つの面部のうちの一つの面部には、横枠の横材の端部が接続されるとともに、補強板が積層されてねじ止め固定されているのが好ましい。この場合、より一層変形し難い窓枠を実現することができる。
【０００９】
また、本発明において、上記横枠および縦枠には、戸部材が開閉自在に取り付けられ、上記横枠は、戸部材に対向し階段状に形成された部分を含む場合がある。この場合、雨水の浸入を防止するのに好ましい。
【発明を実施するための最良の形態】
【００１０】
以下では、この発明の実施の形態を、添付図面を参照して詳細に説明する。図１は、本発明の一実施形態の組立ハウスの要部の一部断面斜視図である。
組立ハウス１は、構造材としての複数の柱２と、窓を構成するサッシユニット３と、板材からなり壁を形成するパネル４とを有している。サッシユニット３は、四角環状をなすサッシ枠としての窓枠５と、窓枠５に移動可能に取り付けられて引き戸を構成する一対の戸部材６とを含んでいる。
【００１１】
複数の柱２は、図示しないベース枠の上に所定間隔をあけて立てられていて上下方向Ｚに延びている。各柱２には、案内溝２ａが形成されている。互いに隣接する一対の柱２には、その案内溝２ａが、互いに対向して形成されている。パネル４およびサッシユニット３の窓枠５が、隣接する一対の柱２，２間に、その一対の案内溝２ａに上方から落とし込まれて取り付けられている。また、サッシユニット３の窓枠５は、パネル４に載せられている。
【００１２】
なお、以下の説明では、隣接する一対の柱２が並ぶ方向を左右方向Ｘとし、上下方向Ｚおよび左右方向Ｘと直交する方向を前後方向Ｙ１，Ｙ２とする。また、屋外側を前方Ｙ１とし、室内側を後方Ｙ２とする。
柱２は、溝形材、例えば、リップ溝形鋼を用いられている。柱２は、互いに対向する一対のフランジ２ｂと、この一対のフランジ２ｂと逆向きに延びていて互いに対向する一対のフランジ２ｃと、２対のフランジ２ｂ，２ｃの基端部を接続するウェブ２ｄとを有している。各フランジ２ｂ，２ｃの先端に屈曲状にリップ２ｅが形成されていて、対をなすフランジ２ｂ，２ｃのリップ２ｅ同士は、互いに接近するように延びている。
【００１３】
柱２は、パネル４およびサッシユニット３を落とし込むための２つの上述の案内溝２ａを区画している。２つの案内溝２ａは、互いに逆向きに開放されている。各案内溝２ａは、対応する一対のフランジ２ｂ，２ｃとウェブ２ｄと一対のリップ２ｅとにより区画され、案内溝２ａの入口開口が一対のリップ２ｅの間に形成され、所定幅で上下に延びている。なお、柱２の溝形材としては、リップ溝形鋼の他、Ｃ型チャンネル鋼を例示でき、この他、案内溝２ａを有する部材であればよく、例えば、断面Ｈ字形形状の部材でもよい。
【００１４】
図２は、図１に示す組立ハウスの要部としてのサッシユニット３の正面図であり、柱２およびパネル４も一点鎖線で図示されている。図２を参照する。
窓枠５は、正面視で矩形をなしている。具体的には、窓枠５は、上下一対の横枠としての上枠７および下枠８を有し、左右一対の縦枠としての右枠９および左枠１０を有している。また、窓枠５は、内側に開口５ａを区画している。この開口５ａは、上述の一対の戸部材６により覆うことができるようにされている。横枠および縦枠に、戸部材６が開閉自在に取り付けられている。また、窓枠５は、対応する柱２の案内溝２ａ内へ上方から落とし込んで上下にスライドさせて装着可能な一対のスライド部（図示せず）を有している。このスライド部は、具体的には、窓枠５の右側縁部および左側縁部により構成されている。
【００１５】
上枠７は、窓枠５の上端部に配置され左右方向に沿って長く延びている。下枠８は、窓枠５の下端部に配置され左右方向に沿って長く延びている。右枠９は、窓枠５の右端部に配置され上下方向に沿って長く延びている。左枠１０は、窓枠５の左端部に配置され上下方向に沿って長く延びている。
本実施形態では、左右方向についての上枠７の全長Ｌ１および下枠８の全長Ｌ２（窓枠５の幅寸法に相当する。）は、当該窓枠５が取り付けられる上記一対の柱２の間に嵌められる対応するパネル４の幅寸法Ｌ３と等しい長さとされている。
【００１６】
図３は、図２に示すサッシユニット３の分解図であり、正面視で示している。図２と図３を参照する。
下枠８は、左右方向に沿って延びる主要部としての横材１１と、この横材１１の右側および左側の端部１１ａ，１１ｂに設けられた組立用の一対のソケット１２と、ソケット１２を補強する一対の補強板１３と、横材１１とソケット１２との間に介在してこの間を封止する一対のパッキン１４とを有している。
【００１７】
下枠８の横材１１は、アルミニウム合金を押出成形されてなる棒状部材である。
パッキン１４は、合成樹脂、ゴム等の軟質部材により形成された板材からなる。
補強板１３は、例えば、炭素鋼、ステンレス鋼等の金属板からなる。
ソケット１２は、上方および下方へ突出しないように、ソケット１２の高さが横材１１の高さの範囲内に収められている。ソケット１２の高さ寸法Ｈ１は、横材１１の高さ寸法Ｈ２よりも小さい値である。ソケット１２の下側端面は、横材１１の最下部よりも高い位置に配置されている。ソケット１２の上側端面と、横材１１の最上部とは、同じ高さになるように面一に配置されている。
【００１８】
上枠７は、左右方向に沿って延びる主要部としての横材１５と、この横材１５の右側および左側の端部１５ａ，１５ｂに設けられた組立用のソケット１６と、ソケット１６を補強する一対の補強板１７と、横材１５とソケット１６との間に介在してこの間を封止する一対のパッキン１８とを有している。
横材１５と横材１１とは、その断面形状が互いに異なるが、他の点では同様である。また、ソケット１６は、ソケット１２と同様に形成されている。補強板１７は、補強板１３と同様に形成されている。パッキン１８は、パッキン１４と同様に形成されている。
【００１９】
ソケット１６は、上方および下方へ突出しないように、ソケット１６の高さが横材１５の高さの範囲内に収められている。ソケット１６の高さ寸法Ｈ３は、横材１５の高さ寸法Ｈ４よりも小さい値である。ソケット１６の下側端面と、横材１５の最下部とは、同じ高さになるように面一に配置されている。ソケット１２の上側端面は、横材１５の最上部よりも低く配置されている。
【００２０】
右枠９は、上下方向に沿って延びる主要部としての縦材１９と、縦材１９の下端部に設けられた組立用の差込部２０と、縦材１９の上端部に設けられた組立用の差込部２１とを有している。右枠９の下端９ａおよび上端９ｂの両端に、差込部２０，２１が上下方向に突設されている。
縦材１９は、アルミニウム合金を押出成形されてなる棒状部材である。差込部２０，２１は、互いに同様に形成されている。差込部２０は、下枠８の右端部に設けられたソケット１２に差し込まれている。差込部２１は、上枠７の右端部に設けられたソケット１６に差し込まれている。
【００２１】
左枠１０は、上下方向に沿って延びる主要部としての縦材２２と、縦材２２の下端部に設けられた組立用の差込部２３と、縦材２２の上端部に設けられた組立用の差込部２４とを有している。左枠１０と右枠９とは、互いに左右対称の形状をなしていて、それ以外の点については互いに同様に構成されている。
上枠７、下枠８、右枠９および左枠１０の各部材の端部同士は互いに連結され、全体として窓枠５は矩形、例えば左右方向に長い長方形をなしている。この矩形の角部において縦枠と横枠とを互いに連結する連結構造が、備えられている。
【００２２】
例えば、正面視で右下の角部における連結構造は、下枠８の横材１１の右側の端部１１ａと、下枠８の右側のソケット１２と、このソケット１２を補強するための補強板１３と、右枠９の縦材１９の下側の端部と、右枠９の下側の差込部２０とを有している。
以下では、正面視で右下の角部における連結構造に則して説明するが、これと同様の連結構造が、他の角部においても備えられている。
【００２３】
図４は、連結構造の正面視での一部断面図であり、図５のIV−IV断面を示す。図５は、連結構造の平面視での一部断面図であり、図４のＶ−Ｖ断面を示す。図６は、連結構造の平面視での一部断面図であり、図４のVI−VI断面を示す。図７は、下枠８の要部としての右端部の分解斜視図である。図８は、右枠９の要部としての下端部の分解斜視図である。先ず、図４と図７を参照する。
【００２４】
下枠８の横材１１の端部１１ａは、ソケット１２を固定するための複数、例えば２つの雌ねじ孔１１ｃを有している。横材１１の端部１１ａには、パッキン１４を介して、ソケット１２が取り付けられている。
図４および図５を参照して、ソケット１２は、筒部１２ａを有している。この筒部１２ａは、平面視で断面矩形の環状をなし、上下方向に延びた筒形状をなしている。筒部１２ａは、４つの面部１２ｆ，１２ｇ，１２ｈ，１２ｉを含んでいる。４つの面部１２ｆ，１２ｇ，１２ｈ，１２ｉは、差込部２０が差し込まれる差込空間１２ｊを内部に形成している。
【００２５】
図４および図６を参照して、筒部１２ａの３つの面部１２ｇ，１２ｈ，１２ｉは、上述のスライド部を形成している。また、筒部１２ａの残りの１つの面部１２ｆには、下枠８の横材１１の端部１１ａが接続されるとともに、補強板１３が積層されて固定されている。内側の面部１２ｆには、横材１１に固定するためのビス２５用の挿通孔１２ｍが形成されている。この挿通孔１２ｍは、ビス２５の軸部が挿通できる大きさで形成されている。また、外側の面部１２ｈには、ビス２５用の挿通孔１２ｎが形成されている。この挿通孔１２ｎは、ビス２５の頭部が挿通する大きさで形成されている。
【００２６】
図６および図７を参照して、補強板１３は、ソケット１２の面部１２ｆに当接している。補強板１３は、ビス２５の軸部を通すための２つの挿通孔１３ａを有している。
ビス２５が、ソケット１２の外側の面部１２ｈの挿通孔１２ｎを通り、補強板１３の挿通孔１３ａを通り、ソケット１２の内側の面部１２ｆの挿通孔１２ｍを通されている。そして、ビス２５の雄ねじが、パッキン１４を貫通して、横材１１の雌ねじ孔１１ｃにねじ込まれている。これにより、ソケット１２が、横材１１の端部１１ａにビス２５のねじ止めにより固定されている。
【００２７】
図４と図８を参照する。縦材１９は、筒部１９ａを有する。この筒部１９ａは、平面視で断面矩形の環状をなし、上下方向に延びた筒形状をなしている。筒部１９ａは、４つの面部１９ｂ，１９ｃ，１９ｄ，１９ｅを含んでいる。３つの面部１９ｃ，１９ｄ，１９ｅは、上述のスライド部を形成している。また、筒部１９ａの内側において、上下方向について下端面１９ｆから所定長さの所定部に差込部２０が嵌め込まれていて、また、上述の所定部における面部１９ｄには、差込部２０を固定するためのビス２６用の複数、例えば２つの挿通孔１９ｇが形成されている。
【００２８】
差込部２０は、水平方向に切った断面（右枠９の長手方向に垂直な断面に相当する。）における断面形状が口字状に閉じた形状をしていて、その下端部に左右方向に開放する切欠部２０ａを有している。この切欠部２０ａは、差込部２０がソケット１２に嵌められた状態で、補強板１３との干渉を避けるために形成されている。差込部２０は、縦材１９の筒部１９ａに嵌められる第１の部分としての上部２０ｂと、横材１１のソケット１２に差し込まれて嵌められる第２の部分としての下部２０ｃとを有している。
【００２９】
上部２０ｂは、縦材１９との固定用の雌ねじ孔２０ｄを有している。この雌ねじ孔２０ｄに、固定用のビス２６がねじ込まれている。
下部２０ｃは、その下側の一部に上述の切欠部２０ａを有している。下部２０ｃはソケット１２の高さと同じ寸法、またはこの寸法よりもわずかに短い寸法で形成されている。また、下部２０ｃは、差込部２０がソケット１２に嵌められた状態で、ソケット１２の挿通孔１２ｎを塞ぐ部分としての面部２０ｅを有している。
【００３０】
図４を参照して、連結構造では、右枠９の縦材１９にビス２６により差込部２０の上部２０ｂが固定されていて、差込部２０の下部２０ｃが、下枠８のソケット１２に嵌め込まれている。右枠９の縦材１９の下端面１９ｆは、下枠８の最上部、すなわち、ソケット１２および横材１１の上端面に当接して受けられている。ソケット１２の挿通孔１２ｎが、差込部２０の面部２０ｅにより塞がれている。
【００３１】
このように本発明の実施形態によれば、横枠としての下枠８のソケット１２は、上方または下方へ突出しないように、ソケット１２の高さが横材１１の高さの範囲内に収められている。これにより、下枠８の端部においてソケット１２が直角に突出しないので、下枠８を梱包し易く、また、下枠８の荷姿も優れていて運搬時に下枠８が破損する虞もなく、さらに梱包された下枠８の荷姿は嵩張らないですむ。また、上枠７についても同様である。従って、梱包性に優れた窓枠５を実現できる。
【００３２】
また、左右方向についての上枠７の全長Ｌ１および下枠８の全長Ｌ２は、当該窓枠５が取り付けられる一対の柱２の間に嵌められるパネル４の幅寸法Ｌ３と等しい長さとされている。これにより、窓枠５を組立ハウス１に組み付けた状態で、パネル４の頂面の全体が窓枠５の下枠８で覆われる。その結果、仮に柱２と窓枠５との間を雨水が通ることがあったとしても、パネル４の頂面に雨水が溜まることはなく、ひいては雨漏りを確実に阻止することができる。
【００３３】
さらに、上枠７および下枠８の全長Ｌ１，Ｌ２がパネル４の幅Ｌ３と等しいことにより、窓枠５の幅寸法をパネル４の幅寸法に等しくでき、柱２間への窓枠５の組込み易さを、パネル４と同程度に確保できる。
具体的には、対応する一対の柱２の中心間距離が１８００ｍｍの場合には、Ｌ１＝Ｌ２＝Ｌ３＝１７８５ｍｍである。一対の柱２の中心間距離が１８２０ｍｍの場合には、Ｌ１＝Ｌ２＝Ｌ３＝１８０５ｍｍである。一対の柱２の中心間距離が１８４０ｍｍの場合には、Ｌ１＝Ｌ２＝Ｌ３＝１８２５ｍｍである。
【００３４】
また、縦枠としての右枠９の差込部２０は、水平方向に切った断面形状が口字状に閉じた形状をしている。これにより、閉じた形状の差込部２０は、開いた形状に比べて、変形し難い。
さらに、上枠７の全長Ｌ１および下枠８の全長Ｌ２がパネル４の幅Ｌ３と等しいので、差込部２０の断面積を最大にでき、この点でも変形を抑制できる。従って、ソケット１２と差込部２０との嵌合長さが短くても、変形し難い窓枠５を実現できる。
【００３５】
変形し難い窓枠５は、雨漏りをより一層確実に防止することができる。すなわち、窓枠が変形すると、パッキンの封止が不十分になるので、雨漏りが発生することがある。これに対して、窓枠の変形を防止することにより、雨漏りを防止することができる。
また、ソケット１２は、差込部２０が差し込まれる差込空間１２ｊを内部に形成し、上下方向に延びて断面矩形の筒形状をなす４つの面部１２ｆ，１２ｇ，１２ｈ，１２ｉを含み、このうちの一つの面部１２ｆには、横材１１の端部１１ａが接続されるとともに、補強板１３が積層されてねじ止め固定されている。この場合、補強板１３によりソケット１２を補強できるので、より一層変形し難い窓枠５を実現することができる。ひいては、雨漏りをより一層確実に防止することができる。
【００３６】
また、横枠としての下枠８のソケット１２と横材１１との最上部同士が、面一をなしているので、仮に、横材１１とソケット１２とが位置ずれを生じたときであっても、窓枠５の全体の形状に違和感が生じずに済み、優れたデザインを実現できる。
また、本実施形態について、以下のような変形例を考えることができる。以下の説明では、上述の実施形態と異なる点を中心に説明し、同様の構成については同じ符号を付して説明を省略する。例えば、下枠８および上枠７の強度がさほど要求されない場合には、補強板１３，１７の少なくとも一方を廃止することも考えられる。
【００３７】
また、上述の窓枠５は、下枠８の上面において、一対の戸部材６を受ける部分が平坦に形成されたいわゆるフラットタイプのサッシ枠であったが、図９の斜視図に示すように、下枠８の上面において、一対の戸部材６を受ける部分２７が階段状に形成されたいわゆる階段式のサッシ枠であってもよい。
このように階段式のサッシ枠では、横枠としての下枠８は、戸部材６に対向し階段状に形成された部分２７を含んでいる。この部分２７は、室内側であるほどに開口が狭くなるように形成されている。この場合、雨水の浸入を防止するのに好ましい。
【００３８】
また、上述の実施形態の連結構造は、通風や採光用の窓用の開口５ａを区画するサッシ枠としての窓枠５に適用されていたが、出入口用の開口を区画するサッシ枠としての窓枠（図示せず）に適用することもできる。このように、窓枠としては、開口を区画する枠であればよく、開口の大きさや目的は限定されず、例えば、採光や通風用の窓枠であってもよいし、通行のための出入口用の開口のためのサッシ枠であってもよい。出入口用のサッシ枠であっても、その下方にパネルが配置される場合があり、この場合には、上述のようにパネルの頂面に溜まった雨水に起因する雨漏りを防止する効果を、窓枠５と同様に得ることが可能である。その他、特許請求の範囲に記載された事項の範囲で種々の設計変更を施すことが可能である。
【図面の簡単な説明】
【００３９】
【図１】本発明の一実施形態の組立ハウスの要部の一部断面斜視図である。
【図２】図１に示す組立ハウスの要部としてのサッシユニットの正面図であり、柱およびパネルも一点鎖線で図示されている。
【図３】図２に示すサッシユニットの分解図であり、正面視で示している。
【図４】図２に示す連結構造の正面視での一部断面図であり、図５のIV−IV断面を示す。
【図５】図２に示す連結構造の平面視での一部断面図であり、図４のＶ−Ｖ断面を示す。
【図６】図２に示す連結構造の平面視での一部断面図であり、図４のVI−VI断面を示す。
【図７】図４に示す下枠の要部としての右端部の分解斜視図である。
【図８】図４に示す右枠の要部としての下端部の分解斜視図である。
【図９】本発明の変形例を示す組立ハウスのサッシユニットの下枠の要部としての右端部の分解斜視図である。
【符号の説明】
【００４０】
１…組立ハウス
２…柱
４…パネル
５…窓枠
６…戸部材
７…上枠（横枠）
８…下枠（横枠）
９…右枠（縦枠）
９ａ…下端（縦枠の上下両端の一方）
９ｂ…上端（縦枠の上下両端の一方）
１０…左枠（縦枠）
１１，１５…横材
１１ａ，１１ｂ，１５ａ，１５ｂ…端部（横材の端部、横材の左右両端）
１２，１６…ソケット
１２ｊ…差込空間
１２ｆ，１２ｇ，１２ｈ，１２ｉ…面部
１３，１７…補強板
２０，２１，２３，２４…差込部
２７…階段状に形成された部分
Ｈ１，Ｈ３…ソケットの高さ
Ｈ２，Ｈ４…横材の高さ
Ｌ１…上枠の全長（横枠の全長）
Ｌ２…下枠の全長（横枠の全長）
Ｌ３…パネルの幅寸法
Ｘ…左右方向（水平方向）
Ｚ…上下方向
【図１】
2007154547.tif 000003
【図２】
2007154547.tif 000004
【図３】
2007154547.tif 000005
【図４】
2007154547.tif 000006
【図５】
2007154547.tif 000007
【図６】
2007154547.tif 000008
【図７】
2007154547.tif 000009
【図８】
2007154547.tif 000010
【図９】
2007154547.tif 000011